(57)【要約】【課題】  カソードで生成された水分をセパレータを介して効率よく除去することができる技術を提供する。【解決手段】  燃料電池は、電解質層とカソードとガス拡散層とセパレータとを備える。セパレータは、ガス拡散層に接触する接触面を有する多孔質部を備える。多孔質部の接触面を含む接触領域の気孔径は、多孔質部の接触領域とは異なる領域の気孔径よりも大きく設定されている。【選択図】  図５
2005294192.tif 000002
【特許請求の範囲】
【請求項１】
燃料電池であって、
電解質層と、
前記電解質層の一方の側に設けられた電極層と、
前記電解質層の前記一方の側に設けられたガス拡散層であって、前記ガス拡散層と前記電解質層との間には、前記電極層が設けられている、前記ガス拡散層と、
前記電解質層の前記一方の側に設けられたセパレータであって、前記セパレータと前記電極層との間には、前記ガス拡散層が設けられており、前記セパレータには、前記ガス拡散層を介して前記電極層に反応ガスを供給するための反応ガス通路が形成されている、前記セパレータと、
を備え、
前記セパレータは、
前記ガス拡散層に接触する接触面を有する多孔質部を備え、
前記多孔質部の前記接触面を含む接触領域の気孔径は、前記多孔質部の前記接触領域とは異なる領域の気孔径よりも大きいことを特徴とする燃料電池。
【請求項２】
請求項１記載の燃料電池であって、
前記ガス拡散層は、
前記多孔質部の前記接触面が接触する被接触面を有し、
前記多孔質部の前記接触領域の気孔径は、前記ガス拡散層の前記被接触面付近の気孔径とほぼ等しい、燃料電池。
【請求項３】
請求項１記載の燃料電池であって、
前記ガス拡散層は、
前記多孔質部の前記接触面が接触する被接触面を有し、
前記ガス拡散層の前記被接触面を含む被接触領域の気孔径は、前記ガス拡散層の前記被接触領域とは異なる領域の気孔径よりも小さい、燃料電池。
【請求項４】
請求項３記載の燃料電池であって、
前記多孔質部の前記接触領域の気孔径は、前記ガス拡散層の前記被接触領域の気孔径とほぼ等しい、燃料電池。
【請求項５】
燃料電池であって、
電解質層と、
前記電解質層の一方の側に設けられた電極層と、
前記電解質層の前記一方の側に設けられたガス拡散層であって、前記ガス拡散層と前記電解質層との間には、前記電極層が設けられている、前記ガス拡散層と、
前記電解質層の前記一方の側に設けられたセパレータであって、前記セパレータと前記電極層との間には、前記ガス拡散層が設けられており、前記セパレータには、前記ガス拡散層を介して前記電極層に反応ガスを供給するための反応ガス通路が形成されている、前記セパレータと、
を備え、
前記セパレータは、
前記ガス拡散層に接触する接触面を有する多孔質部を備え、
前記ガス拡散層は、
前記多孔質部の前記接触面が接触する被接触面を有し、
前記ガス拡散層の前記被接触面を含む被接触領域の気孔径は、前記ガス拡散層の前記被接触領域とは異なる領域の気孔径よりも小さいことを特徴とする燃料電池。
【請求項６】
請求項１記載の燃料電池であって、
前記ガス拡散層の前記被接触領域の気孔径は、前記多孔質部の前記接触面付近の気孔径とほぼ等しい、燃料電池。
【請求項７】
燃料電池であって、
電解質層と、
前記電解質層の一方の側に設けられた電極層と、
前記電解質層の前記一方の側に設けられたガス拡散層であって、前記ガス拡散層と前記電解質層との間には、前記電極層が設けられている、前記ガス拡散層と、
前記電解質層の前記一方の側に設けられたセパレータであって、前記セパレータと前記電極層との間には、前記ガス拡散層が設けられており、前記セパレータには、前記ガス拡散層を介して前記電極層に反応ガスを供給するための反応ガス通路が形成されている、前記セパレータと、
を備え、
前記セパレータは、
前記ガス拡散層に接触する接触面を有する多孔質部を備え、
前記ガス拡散層は、
前記多孔質部の前記接触面が接触する被接触面を有し、
前記ガス拡散層の前記被接触面を含む被接触領域は、前記被接触領域の周辺の領域よりも水分を保持する能力が高いことを特徴とする燃料電池。
【請求項８】
請求項７記載の燃料電池であって、
前記ガス拡散層の前記被接触領域の気孔径は、前記ガス拡散層の前記周辺領域の気孔径よりも小さい、燃料電池。
【請求項９】
請求項７記載の燃料電池であって、
前記ガス拡散層の前記被接触領域の親水性は、前記ガス拡散層の前記周辺領域の親水性よりも高い、燃料電池。
【請求項１０】
請求項９記載の燃料電池であって、
前記ガス拡散層の前記被接触領域には、親水処理が施されており、
前記ガス拡散層の前記周辺領域には、親水処理が施されていない、燃料電池。
【請求項１１】
請求項７記載の燃料電池であって、
前記ガス拡散層の前記被接触領域の撥水性は、前記ガス拡散層の前記周辺領域の撥水性よりも低い、燃料電池。
【請求項１２】
請求項１１記載の燃料電池であって、
前記ガス拡散層の前記被接触領域には、撥水処理が施されておらず、
前記ガス拡散層の前記周辺領域には、撥水処理が施されている、燃料電池。
【発明の詳細な説明】
【技術分野】
【０００１】
本発明は、多孔質のセパレータを備える燃料電池に関する。
【背景技術】
【０００２】
燃料電池は、複数のセルを含んでおり、隣接する２つのセルの間には、セパレータが設けられている。
【０００３】
特許文献１では、隣接する２つのセルの間には、２つのセパレータが設けられている。各セパレータは、双方の面に複数の凸部を有しており、凹部によって流路が形成されている。第１のセパレータは、第１の面側に形成された複数の凸部において第１のＭＥＡ（イオン交換膜電解質／電極組立体）と接触しており、第１のセパレータと第１のＭＥＡとの間には、凹部によって水素ガスが通る水素ガス流路が形成されている。同様に、第２のセパレータは、第１の面側に形成された複数の凸部において第２のＭＥＡと接触しており、第２のセパレータと第２のＭＥＡとの間には、凹部によって空気（酸素ガス）が通る酸素ガス流路が形成されている。また、第１のセパレータの第２の面側に形成された複数の凸部は、第２のセパレータの第２の面側に形成された複数の凸部と接触しており、２つのセパレータの間には、対向する凹部によって冷却水が通る冷却水流路が形成される。
【０００４】
カソードで生成された水（生成水）は、多孔質の第２のセパレータを透過して、冷却水流路へ移動する。これにより、酸素ガス流路内におけるフラッディング状態の発生を抑制することができる。なお、生成水の移動は、酸素ガスの圧力と冷却水の圧力との間に、所定の圧力差を発生させることによって、実現されている。
【０００５】
【特許文献１】特表平１１−５０８７２６号公報
【発明の開示】
【発明が解決しようとする課題】
【０００６】
しかしながら、従来の技術では、カソードで生成された水を多孔質のセパレータを介して効率よく除去することが困難であるという問題があった。これは、多孔質のセパレータが、水分を効率よく取り込むことが困難であることに起因する。
【０００７】
この発明は、従来技術における上述の課題を解決するためになされたものであり、電極で生成された水分をセパレータを介して効率よく除去することを目的とする。
【課題を解決するための手段】
【０００８】
上述の課題の少なくとも一部を解決するため、本発明の第１の装置は、燃料電池であって、
電解質層と、
前記電解質層の一方の側に設けられた電極層と、
前記電解質層の前記一方の側に設けられたガス拡散層であって、前記ガス拡散層と前記電解質層との間には、前記電極層が設けられている、前記ガス拡散層と、
前記電解質層の前記一方の側に設けられたセパレータであって、前記セパレータと前記電極層との間には、前記ガス拡散層が設けられており、前記セパレータには、前記ガス拡散層を介して前記電極層に反応ガスを供給するための反応ガス通路が形成されている、前記セパレータと、
を備え、
前記セパレータは、
前記ガス拡散層に接触する接触面を有する多孔質部を備え、
前記多孔質部の前記接触面を含む接触領域の気孔径は、前記多孔質部の前記接触領域とは異なる領域の気孔径よりも大きいことを特徴とする。
【０００９】
この装置では、多孔質部の接触領域の気孔径は、多孔質部の接触領域とは異なる領域の気孔径よりも大きく設定されているため、多孔質部は、接触領域を介して、ガス拡散層内に存在する水分を効率よく取り込むことができる。この結果、セパレータは、電極で生成された水分を効率よく除去することが可能となる。
【００１０】
上記の装置において、
前記ガス拡散層は、
前記多孔質部の前記接触面が接触する被接触面を有し、
前記多孔質部の前記接触領域の気孔径は、前記ガス拡散層の前記被接触面付近の気孔径とほぼ等しいことが好ましい。
【００１１】
こうすれば、ガス拡散層と多孔質部との間で、水分が移動し易くなるため、多孔質部は、接触領域を介して、ガス拡散層内に存在する水分を、さらに効率よく取り込むことができる。
【００１２】
上記の装置において、
前記ガス拡散層は、
前記多孔質部の前記接触面が接触する被接触面を有し、
前記ガス拡散層の前記被接触面を含む被接触領域の気孔径は、前記ガス拡散層の前記被接触領域とは異なる領域の気孔径よりも小さいことが好ましい。
【００１３】
こうすれば、水分は、ガス拡散層の被接触領域に保持され易くなるため、多孔質部は、被接触領域を介して、ガス拡散層内に存在する水分を、さらに効率よく取り込むことができる。
【００１４】
上記の装置において、
前記多孔質部の前記接触領域の気孔径は、前記ガス拡散層の前記被接触領域の気孔径とほぼ等しいことが好ましい。
【００１５】
こうすれば、ガス拡散層と多孔質部との間で、水分が移動し易くなるため、多孔質部は、被接触領域と接触領域とを介して、ガス拡散層内に存在する水分を、さらに効率よく取り込むことができる。
【００１６】
本発明の第２の装置は、燃料電池であって、
電解質層と、
前記電解質層の一方の側に設けられた電極層と、
前記電解質層の前記一方の側に設けられたガス拡散層であって、前記ガス拡散層と前記電解質層との間には、前記電極層が設けられている、前記ガス拡散層と、
前記電解質層の前記一方の側に設けられたセパレータであって、前記セパレータと前記電極層との間には、前記ガス拡散層が設けられており、前記セパレータには、前記ガス拡散層を介して前記電極層に反応ガスを供給するための反応ガス通路が形成されている、前記セパレータと、
を備え、
前記セパレータは、
前記ガス拡散層に接触する接触面を有する多孔質部を備え、
前記ガス拡散層は、
前記多孔質部の前記接触面が接触する被接触面を有し、
前記ガス拡散層の前記被接触面を含む被接触領域の気孔径は、前記ガス拡散層の前記被接触領域とは異なる領域の気孔径よりも小さいことを特徴とする。
【００１７】
この装置では、ガス拡散層の被接触領域の気孔径は、ガス拡散層の被接触領域とは異なる領域の気孔径よりも小さく設定されているため、水分は、ガス拡散層の被接触領域に保持され易い。したがって、多孔質部は、被接触領域を介して、ガス拡散層内に存在する水分を効率よく取り込むことができる。この結果、セパレータは、電極で生成された水分を効率よく除去することが可能となる。
【００１８】
上記の装置において、
前記ガス拡散層の前記被接触領域の気孔径は、前記多孔質部の前記接触面付近の気孔径とほぼ等しいことが好ましい。
【００１９】
こうすれば、ガス拡散層と多孔質部との間で、水分が移動し易くなるため、多孔質部は、被接触領域を介して、ガス拡散層内に存在する水分を、さらに効率よく取り込むことができる。
【００２０】
本発明の第３の装置は、燃料電池であって、
電解質層と、
前記電解質層の一方の側に設けられた電極層と、
前記電解質層の前記一方の側に設けられたガス拡散層であって、前記ガス拡散層と前記電解質層との間には、前記電極層が設けられている、前記ガス拡散層と、
前記電解質層の前記一方の側に設けられたセパレータであって、前記セパレータと前記電極層との間には、前記ガス拡散層が設けられており、前記セパレータには、前記ガス拡散層を介して前記電極層に反応ガスを供給するための反応ガス通路が形成されている、前記セパレータと、
を備え、
前記セパレータは、
前記ガス拡散層に接触する接触面を有する多孔質部を備え、
前記ガス拡散層は、
前記多孔質部の前記接触面が接触する被接触面を有し、
前記ガス拡散層の前記被接触面を含む被接触領域は、前記被接触領域の周辺の領域よりも水分を保持する能力が高いことを特徴とする。
【００２１】
この装置では、水分がガス拡散層の被接触領域に保持され易いため、多孔質部は、被接触領域を介して、ガス拡散層内に存在する水分を効率よく取り込むことができる。この結果、セパレータは、電極で生成された水分を効率よく除去することが可能となる。
【００２２】
上記の装置において、
前記ガス拡散層の前記被接触領域の気孔径は、前記ガス拡散層の前記周辺領域の気孔径よりも小さいことが好ましい。
【００２３】
こうすれば、水分は、ガス拡散層の被接触領域に、より保持され易くなる。
【００２４】
また、上記の装置において、
前記ガス拡散層の前記被接触領域の親水性は、前記ガス拡散層の前記周辺領域の親水性よりも高いことが好ましい。
【００２５】
例えば、ガス拡散層の被接触領域には、親水処理が施されており、周辺領域には、親水処理が施されていなくてもよい。また、ガス拡散層の被接触領域と周辺領域との双方に親水処理が施され、被接触領域に施される親水処理の程度が、周辺領域に施される親水処理の程度よりも高く設定されていてもよい。さらに、ガス拡散層の被接触領域には、親水処理が施されており、周辺領域には、撥水処理が施されていてもよい。
【００２６】
こうしても、水分は、ガス拡散層の被接触領域に、より保持され易くなる。
【００２７】
あるいは、上記の装置において、
前記ガス拡散層の前記被接触領域の撥水性は、前記ガス拡散層の前記周辺領域の撥水性よりも低くてもよい。
【００２８】
例えば、ガス拡散層の被接触領域には、撥水処理が施されておらず、周辺領域には、撥水処理が施されていてもよい。また、ガス拡散層の被接触領域と周辺領域との双方に撥水処理が施され、被接触領域に施される撥水処理の程度が、周辺領域に施される撥水処理の程度よりも低く設定されていてもよい。さらに、ガス拡散層の被接触領域には、親水処理が施されており、周辺領域には、撥水処理が施されていてもよい。
【００２９】
こうしても、水分は、ガス拡散層の被接触領域に、より保持され易くなる。
【００３０】
なお、この発明は、種々の形態で実現することが可能であり、例えば、燃料電池、該燃料電池を備える燃料電池システム、該燃料電池システムを搭載した移動体などの装置等の形態で実現することができる。
【発明を実施するための最良の形態】
【００３１】
次に、本発明の実施の形態を実施例に基づき以下の順序で説明する。
Ａ．第１実施例：
Ａ−１．燃料電池システムの全体構成：
Ａ−２．セルの概略構成：
Ａ−３．セルの具体的な構成：
Ｂ．第２実施例：
Ｃ．第３実施例：
Ｄ．第４実施例：
Ｅ．第５実施例：
【００３２】
Ａ．第１実施例：
Ａ−１．燃料電池システムの全体構成：
図１は、第１実施例における燃料電池システムの概略構成を示す説明図である。なお、この燃料電池システムは、車両に搭載されている。
【００３３】
燃料電池システムは、燃料電池スタック１００と、燃料電池スタックに燃料ガス（水素ガス）を供給するための燃料ガス供給系と、燃料電池スタックに空気を供給するための空気供給系と、燃料電池スタックに冷却液を供給するための冷却液供給系と、を備えている。また、燃料電池システムは、システム全体の動作を制御するためのコントローラ６００を備えている。
【００３４】
燃料電池スタック（以下、単に「スタック」とも呼ぶ）１００は、比較的小型で発電効率に優れる固体高分子型燃料電池である。スタック１００は、積層された複数のセルを含んでいる。また、スタック１００内部には、複数の内部通路が設けられている。具体的には、スタック内部には、燃料ガスが通る内部燃料ガス通路２１０と、酸化ガス（空気）が通る内部酸化ガス通路２２０と、冷却液が通る内部冷却液通路２３０と、冷却ガス（空気）が通る内部冷却ガス通路２４０と、が設けられている。
【００３５】
燃料ガス供給系は、水素タンク３０２と、減圧弁３０４と、流量制御弁３０６と、を備えている。水素タンク３０２は、水素ガス（燃料ガス）を比較的高い圧力で貯蔵している。減圧弁３０４は、水素タンク３０２から供給された燃料ガスを所定の圧力に減圧する。流量制御弁３０６は、燃料ガスの流量を調整する。燃料ガスは、燃料ガス通路３１０を介してスタック１００に供給される。燃料ガスは、内部燃料ガス通路２１０を通る際に、スタック内部での電気化学反応に利用される。内部燃料ガス通路２１０を通過した使用済みの燃料オフガスは、燃料オフガス通路３９０を介して外部に排出される。燃料オフガス通路３９０には、遮断弁３９２が設けられている。遮断弁３９２は、間欠的に開状態に設定され、これにより、燃料オフガスがスタック１００から排出される。
【００３６】
空気供給系は、空気ブロワ４０２を備えている。空気は、空気通路を介してスタック１００に供給される。ここで、空気通路は、スタック外部に設けられた第１および第２の外部空気通路４１０，４２０と、内部冷却ガス通路２４０と、を含んでいる。空気は、内部冷却ガス通路２４０を通る際には、冷却ガスとして機能し、スタック１００を冷却する。また、空気は、内部酸化ガス通路２２０を通る際には、酸化ガスとして機能し、スタック内部での電気化学反応に利用される。内部酸化ガス通路２２０を通過した使用済みの空気（酸化オフガス）は、酸化オフガス通路４９０を介して外部に排出される。
【００３７】
冷却液供給系は、循環ポンプ５０２と、熱交換器５０４と、を備えている。循環ポンプ５０２は、スタック外部に設けられた循環通路５１０と、内部冷却液通路２３０と、の間で冷却液（例えば水）を循環させる。冷却液は、内部冷却液通路２３０を通る際に、スタック１００を冷却する。熱交換器５０４は、スタック１００から排出された比較的温度の高い冷却液を冷却する。
【００３８】
なお、本実施例では、内部冷却ガス通路２４０を経由した空気が、内部酸化ガス通路２２０に供給されているが、これに代えて、内部酸化ガス通路２２０と内部冷却ガス通路２４０とには、独立して、空気が供給されるようにしてもよい。
【００３９】
また、本実施例では、内部冷却ガス通路２４０を経由した空気は、第２の外部空気通路４２０を介して、内部酸化ガス通路２２０に供給されているが、第２の外部空気通路４２０に代えて、スタック内部に、内部冷却ガス通路２４０を経由した空気を内部酸化ガス通路２２０に供給するための空気通路を設けるようにしてもよい。
【００４０】
Ａ−２．セルの概略構成：
図２は、燃料電池スタック１００内部のセルの構成を模式的に示す説明図である。図示するように、セル１１０は、膜−電極アセンブリ（ＭＥＡ：Membrane-Electrode Assembly ）１２０と、２つのガス拡散層１３０，１４０と、２つのセパレータ１５０，１６０と、を備えている。
【００４１】
ＭＥＡ１２０は、電解質膜１２２と、電解質膜の両側に形成された２つの電極層（触媒層）１２４，１２６と、を備えている。第１の電極層１２４は、アノード（水素極）であり、第２の電極層１２６は、カソード（酸素極）である。なお、電解質膜としては、フッ素系樹脂などの固体高分子材料で形成された膜を用いることができ、例えば、デュポン社製のナフィオン（Nafion）膜を用いることができる。また、電極層としては、カーボン粒子に白金などの触媒を担持させた触媒層を用いることができる。
【００４２】
２つのガス拡散層（以下、単に「拡散層」とも呼ぶ）１３０，１４０は、ＭＥＡ１２０を挟む。アノード側拡散層１３０は、外部から供給された燃料ガスを拡散させてアノード１２４に供給する機能を有し、カソード側拡散層１４０は、外部から供給された空気（酸素ガス）を拡散させてカソード１２６に供給する機能を有する。なお、拡散層は、炭素繊維を織成したカーボンクロスや、カーボンペーパ、カーボンフエルトなどの充分なガス拡散性および導電性を有する材料で形成されている。
【００４３】
２つのセパレータ１５０，１６０は、ＭＥＡ１２０および２つの拡散層１３０，１４０を挟む。アノード側セパレータ１５０とカソード側セパレータ１６０とには、複数の孔や凹部が形成されている。複数の孔や凹部は、内部通路２１０，２２０，２３０，２４０（図１）を形成する。具体的には、各セパレータの一対の孔は、複数のセルを積層したときに、複数のセルを貫くように設けられている。すなわち、各セパレータの一対の孔は、上流側のセル間通路と下流側のセル間通路とを形成する。また、各セパレータの凹部は、一対の孔間を接続するように設けられている。すなわち、各セパレータの凹部は、上流側のセル間通路と下流側のセル間通路との間で流体を流通可能とするセル内通路を形成する。
【００４４】
より具体的には、各セパレータ１５０，１６０には、上流側および下流側のセル間燃料ガス通路２１０ａ，２１０ｃを構成する一対の孔と、上流側および下流側のセル間酸化ガス通路２２０ａ，２２０ｃを構成する一対の孔と、が形成されている。また、各セパレータ１５０，１６０には、上流側および下流側のセル間冷却液通路２３０ａ，２３０ｃを構成する一対の孔と、上流側および下流側のセル間冷却ガス通路２４０ａ，２４０ｃを構成する一対の孔と、が形成されている。
【００４５】
図３は、カソード側セパレータ１６０を模式的に示す説明図である。図３（Ａ），（Ｂ）は、それぞれ、図２に示すカソード側セパレータ１６０の第１の面Ｓｃ１と第２の面Ｓｃ２とを示している。図示するように、カソード側セパレータの第１の面Ｓｃ１には、セル内酸化ガス通路（カソード側通路）２２０ｂを構成する凹部が形成されている。また、第２の面Ｓｃ２には、セル内冷却液通路２３０ｂを構成する凹部と、セル内冷却ガス通路２４０ｂを構成する凹部と、が形成されている。なお、セル内冷却液通路２３０ｂを構成する凹部は、セル内酸化ガス通路２２０ｂを構成する凹部の上流側部分の背面に形成されており、セル内冷却ガス通路２４０ｂを構成する凹部は、セル内酸化ガス通路２２０ｂを構成する凹部の下流側部分の背面に形成されている。
【００４６】
アノード側セパレータ１５０は、カソード側セパレータ１６０と同様である。ただし、アノード側セパレータの第１の面Ｓａ１には、セル内燃料ガス通路（アノード側通路）を構成する凹部が形成されている。また、第２の面Ｓａ２には、セル内冷却液通路２３０ｂを構成する凹部と、セル内冷却ガス通路２４０ｂを構成する凹部と、が形成されている。
【００４７】
なお、実際には、セル内ガス通路２１０ｂ，２２０ｂ，２４０ｂを構成する各凹部には、複数の凸部が設けられている。
【００４８】
図４は、セル１１０の断面を模式的に示す説明図である。図示するように、セル内燃料ガス通路（アノード側通路）２１０ｂは、アノード側セパレータ１５０の第１の面Ｓａ１に設けられた凹部とアノード側拡散層１３０との間に形成されており、セル内酸化ガス通路（カソード側通路）２２０ｂは、カソード側セパレータ１６０の第１の面Ｓｃ１に設けられた凹部とカソード側拡散層１４０との間に形成されている。また、セル内冷却液通路２３０ｂとセル内冷却ガス通路２４０ｂとは、２つのセパレータ１５０，１６０の第２の面Ｓａ２，Ｓｃ２に設けられた凹部が組み合わされて形成されている。なお、上流側および下流側のセル間酸化ガス通路２２０ａ，２２０ｃは、各セパレータ１５０，１６０に設けられた一対の孔によって形成されている。
【００４９】
ところで、アノード側セパレータ１５０は、緻密質領域のみを含む部材である。一方、カソード側セパレータ１６０は、緻密質領域１６１と多孔質領域１６２とを含む複合部材である。なお、緻密質領域１６１と多孔質領域１６２とは、それぞれ、カソード側セパレータ１６０の第１の面Ｓｃ１側から第２の面Ｓｃ２側まで連続する。このため、カソード側セパレータ１６０の表面には、緻密質領域１６１と多孔質領域１６２との双方が現れる。なお、多孔質領域１６２は、図２，図３に示す領域Ｐに設けられている。
【００５０】
２つのセパレータ１５０，１６０に含まれる緻密質領域は、比較的小さな気孔率を有しており、水およびガスを透過させない性質を有している。一方、カソード側セパレータ１６０に含まれる多孔質領域は、比較的大きな気孔率を有しており、水およびガスが透過可能な性質を有している。
【００５１】
なお、緻密質領域と多孔質領域とは、導電性材料を用いて形成される。具体的には、緻密質領域と多孔質領域とは、それぞれ、カーボン粉末とバインダとの混合物を圧縮成形して得られる緻密質部材と多孔質部材とを用いて形成される。なお、多孔質領域の気孔率は、カーボン粉末の形状やサイズ、カーボン粉末とバインダとの混合比率などを調整することによって変更可能である。カソード側セパレータ１６０は、例えば、個別に準備された緻密質部材と多孔質部材とを組み合わせ、バインダの溶融温度以上に加熱することによって、形成可能である。
【００５２】
上記のようなセパレータ１５０，１６０を用いれば、セル内冷却ガス通路２４０ｂに冷却ガス（空気）を供給することによって、スタックを冷却することができる。また、セル内冷却ガス通路２４０ｂに冷却ガス（空気）を供給することによって、カソード１２６で生成された水分を多孔質領域１６２を介して除去することができる。具体的には、カソード１２６で生成された水分は、カソード側拡散層１４０に蓄えられる。多孔質領域１６２は、毛管吸引力によって、カソード側拡散層１４０に蓄えられた水分を内部に取り込む。水分は、多孔質領域１６２内部を移動して、セル内冷却ガス通路２４０ｂを流れる冷却ガス（空気）中に排出される。
【００５３】
また、本実施例では、多孔質領域１６２は、セル内酸化ガス通路２２０ｂの下流側部分と、セル内冷却ガス通路２４０ｂと、の間に設けられているため、スタック内部で発生した水分を多孔質領域１６２を介して効率よく除去することができる。具体的には、スタック内部で発生した水分は、セル内酸化ガス通路２２０ｂを通る酸化ガス中に気化して、該酸化ガスと共に下流に向かう。このため、セル内酸化ガス通路２２０ｂでは、上流側部分の水分量が比較的少なく、下流側部分の水分量が比較的多い。したがって、セル内酸化ガス通路２２０ｂの下流側部分に多孔質領域１６２を設けることにより、スタック内部で発生した水分を多孔質領域１６２を介して効率よく除去することが可能となる。
【００５４】
さらに、本実施例では、セル内冷却ガス通路２４０ｂを経由して加湿された酸化ガスが、セル内酸化ガス通路２２０ｂに供給されている。このため、加湿された酸化ガスは、水分量が比較的少ないセル内酸化ガス通路２２０ｂの上流側部分に、水分を与えることができ、該上流側部分の乾燥を抑制することができる。
【００５５】
Ａ−３．セルの具体的な構成：
図５は、第１実施例におけるセル１１０の具体的な構造を示す説明図である。図５では、図４に示すカソード側セパレータ１６０の多孔質領域（多孔質部）１６２付近が拡大して描かれている。なお、燃料電池スタックでは、複数のセルは、その両端に設けられた図示しない締付部材によって、両側から加圧される。このため、図示するように、拡散層１３０，１４０は、セパレータ１５０，１６０の凸部によって押圧されて変形している。このように、セルの積層方向に圧力を加えることによって、アノード１２４とアノード側セパレータ１５０との間、および、カソード１２６とカソード側セパレータ１６０との間の導電性を高めることができる。
【００５６】
図４で説明したように、カソード側セパレータ１６０は、緻密質部１６１と多孔質部１６２とを含んでいる。また、図５に示すように、多孔質部１６２は、第１の面Ｓｃ１側の凸部１６２ａの頂面付近に、気孔径が調整された接触層１６４を含んでいる。なお、凸部１６２ａの頂面は、カソード側拡散層１４０と接触する接触面であり、凸部１６２ａの側面と凸部１６２ａの周囲の底面（すなわち凹部の底面）とは、カソード側拡散層１４０と接触せずに、セル内酸化ガス通路２２０ｂの壁面を構成する通路形成面である。
【００５７】
接触層１６４は、多孔質部１６２の内部（接触層１６４とは異なる領域）よりも大きな気孔径を有している。特に、本実施例では、接触層１６４の気孔径は、カソード側拡散層１４０の気孔径とほぼ等しく設定されている。
【００５８】
接触層１６４を有する多孔質部１６２は、種々の方法で作製可能である。第１の製法では、多孔質部１６２の凸部１６２ａの頂面に対して、サンドブラスト処理が施される。第２の製法では、多孔質部１６２の凸部１６２ａの頂面に対して、プラズマ放電処理が施される。第３の製法では、多孔質部１６２の凸部１６２ａの頂面に対して、多数の針が配列された治具が押圧される。第４の製法では、多孔質部１６２の凸部１６２ａの頂面に、多孔質部よりも大きな気孔径を有する多孔質層が選択的に配置され、多孔質部１６２と該多孔質層とがホットプレス法によって接合される。このように、種々の方法により、接触層１６４を有する多孔質部１６２を得ることができる。
【００５９】
本実施例の構成を採用すれば、カソード１２６で生成された水分をセル内冷却ガス通路２４０ｂへ効率よく排出することができる。すなわち、前述のように、カソード１２６で生成された水分は、カソード側拡散層１４０内に蓄えられる。また、カソード側拡散層１４０は、セル内酸化ガス通路２２０ｂ中に気化した水分を捕獲して蓄える。多孔質部１６２は、カソード側拡散層１４０と接触する凸部１６２ａの頂面を介して、カソード側拡散層内に蓄えられた水分を取り込む。そして、吸収された水分は、多孔質部１６２内部を移動し、セル内冷却ガス通路２４０ｂ内に排出される。仮に、接触層１６４が設けられていない場合には、多孔質部１６２は、凸部１６２ａの頂面を介して、水分を効率よく取り込むことが困難である。これは、多孔質部１６２の気孔径とカソード側拡散層１４０の気孔径とがかなり異なるためである。通常、多孔質部１６２の気孔径は、比較的小さな値（例えば数μｍ）に設定されており、カソード側拡散層１４０の気孔径は、比較的大きな値（例えば数十μｍ）に設定されている。なお、多孔質部の気孔率は、比較的小さな値（例えば約１５〜２０％）であり、カソード側拡散層１４０の気孔率は、比較的大きな値（例えば約７０〜８０％）である。このように、多孔質部１６２とカソード側拡散層１４０との接触界面の気孔径が大きく異なる場合には、水分は、カソード側拡散層１４０から多孔質部１６２へ円滑に移動し難い。しかしながら、本実施例では、多孔質部１６２は、カソード側拡散層１４０とほぼ等しい気孔径を有する接触層１６４を備えている。このため、水分は、カソード側拡散層１４０から多孔質部１６２へ円滑に移動し易くなり、多孔質部１６２は、接触層１６４を介して、カソード側拡散層１４０内に存在する水分を効率よく取り込むことができる。この結果、カソード側セパレータ１６０は、カソード１２６で生成された水分をセル内冷却ガス通路２４０ｂへ効率よく排出することができ、セル内酸化ガス通路２２０ｂにおけるフラッディング状態の発生を抑制することができる。
【００６０】
また、本実施例では、多孔質部１６２の内部の気孔径は、接触層１６４の気孔径よりも小さいため、多孔質部１６２の内部の毛管吸引力は、接触層１６４の毛管吸引力よりも大きい。このため、多孔質部１６２は、接触層１６４を介して吸収された水分を、セル内冷却ガス通路２４０ｂ側へ速やかに移動させることができる。そして、多孔質部内部の毛管吸引力は高いため、多孔質部内部は水で満たされ易い。この結果、セル内冷却ガス通路２４０ｂを通る冷却ガス（空気）が、多孔質部１６２を介して、セル内酸化ガス通路２２０ｂへ侵入するのを抑制することができる。
【００６１】
さらに、本実施例では、接触層１６４の気孔径は、多孔質部１６２の内部の気孔径よりも大きいため、スタック１００の出力特性を向上させることができる。すなわち、接触層１６４が設けられていない場合には、酸素ガスは、凸部１６２ａの頂面付近の電極反応場ＲＦに供給され難く、該電極反応場ＲＦに供給される酸素ガス量は比較的小さい。このため、カソードの濃度過電圧が大きくなり、この結果、スタックの出力電圧が低くなってしまう。一方、本実施例のように、接触層１６４が設けられている場合には、酸素ガスは、接触層１６４を介して、凸部１６２ａの頂面付近の電極反応場ＲＦへ供給され易く、該電極反応場ＲＦに供給される酸素ガス量は比較的大きい。このため、カソードの濃度過電圧を比較的小さくすることができ、この結果、スタックの出力電圧の低下を抑制することができる。
【００６２】
なお、本実施例では、前述のように、多孔質部１６２は、セル内酸化ガス通路２２０ｂの下流側部分に設けられているため、多孔質部１６２付近の酸素ガスの分圧は比較的低い。このため、接触層１６４が設けられていない場合には、酸素ガスは、特に、電極反応場ＲＦに供給され難い。すなわち、本実施例のように、多孔質部１６２がセル内酸化ガス通路２２０ｂの下流側部分に設けられる場合には、接触層１６４を設けることに伴う上記の効果は、顕著となる。
【００６３】
本実施例では、接触層１６４は、カソード側拡散層１４０とほぼ等しい気孔径を有しているが、これに代えて、カソード側拡散層１４０よりも小さな気孔径を有していてもよい。この場合にも、接触層が設けられていない場合と比較して、多孔質部とカソード側拡散層との接触界面の気孔径の差分が小さくなるため、多孔質部は水分を効率よく取り込むことができる。
【００６４】
Ｂ．第２実施例：
図６は、第２実施例におけるセル１１０Ｂの具体的な構造を示す説明図である。図６は、図５とほぼ同じであるが、カソード側セパレータ１６０Ｂとカソード側拡散層１４０Ｂとが変更されている。具体的には、多孔質部１６２Ｂは、接触層１６４を備えていない。また、カソード側拡散層１４０Ｂは、多孔質部１６２Ｂの凸部１６２ａの頂面が接触する被接触面付近に、気孔径が調整された被接触層１４２を備えている。
【００６５】
被接触層１４２は、カソード側拡散層１４０Ｂの内部よりも小さな気孔径を有している。特に、本実施例では、被接触層１４２の気孔径は、多孔質部１６２Ｂの気孔径とほぼ等しく設定されている。
【００６６】
被接触層１４２は、例えば、カソード側拡散層の被接触面にカーボンリッチな塗布剤を選択的に塗布することによって、得られる。塗布剤としては、カーボンと樹脂バインダとを混練したペーストを用いることができる。カーボンとしては、鎖状構造を有するカーボンブラックを用いることが好ましい。こうすれば、被接触層１４２は、比較的高い吸水性と導電性とを発揮することができる。なお、該カーボンブラックとしては、例えば、電気化学工業株式会社製の「デンカブラック」を用いることができる。
【００６７】
図６の構成を採用する場合にも、多孔質部１６２Ｂは、水分を効率よく取り込むことができる。すなわち、本実施例では、カソード側拡散層１４０の被接触層１４２の気孔径は、他の領域の気孔径よりも小さいため、被接触層１４２におけるガスの流動や、被接触層１４２からの水分の拡散が抑制される。このため、水分は、被接触層１４２に保持され易くなり、多孔質部１６２は、被接触層１４２を介して、カソード側拡散層内に存在する水分を効率よく取り込むことができる。
【００６８】
また、本実施例では、カソード側拡散層１４０は、多孔質部１６２とほぼ等しい気孔径を有する被接触層１４２を備えている。このため、水分は、カソード側拡散層１４０から多孔質部１６２へ円滑に移動し易くなり、多孔質部１６２は、被接触層１４２を介して、カソード側拡散層１４０内に存在する水分を効率よく取り込むことができる。
【００６９】
なお、本実施例では、被接触層１４２は、多孔質部１６２とほぼ等しい気孔径を有しているが、これに代えて、多孔質部１６２よりも大きな気孔径を有していてもよい。この場合にも、被接触層が設けられていない場合と比較して、多孔質部とカソード側拡散層との接触界面の気孔径の差分が小さくなるため、多孔質部は水分を効率よく取り込むことができる。
【００７０】
Ｃ．第３実施例：
図７は、第３実施例におけるセル１１０Ｃの具体的な構造を示す説明図である。セル１１０Ｃは、図５と同様のカソード側セパレータ１６０Ｃと、図６と同様のカソード側拡散層１４０Ｃと、を備えている。ただし、本実施例では、多孔質部１６２Ｃの接触層１６４Ｃは、多孔質部の内部よりも大きく、かつ、カソード側拡散層の内部よりも小さな気孔径を有している。また、カソード側拡散層１４０Ｃの被接触層１４２Ｃは、カソード側拡散層の内部よりも小さく、かつ、多孔質部の内部よりも大きな気孔径を有している。そして、接触層１６４Ｃの気孔径は、被接触層１４２Ｃの気孔径とほぼ等しく設定されている。
【００７１】
図７の構成を採用する場合にも、第１および第２実施例と同様に、多孔質部１６２Ｃは、被接触層１４２Ｃと接触層１６４Ｃとを介して、カソード側拡散層１４０Ｃ内に存在する水分を効率よく取り込むことができる。
【００７２】
なお、本実施例では、接触層１６４Ｃは、被接触層１４２Ｃとほぼ等しい気孔径を有しているが、これに代えて、被接触層１４２Ｃよりも小さな気孔径を有していてもよい。この場合にも、接触層１６４Ｃおよび被接触層１４２Ｃが設けられていない場合と比較して、多孔質部とカソード側拡散層との接触界面の気孔径の差分を比較的小さくすることができるため、多孔質部は水分を効率よく取り込むことができる。
【００７３】
Ｄ．第４実施例：
図８は、第４実施例におけるセル１１０Ｄの具体的な構造を示す説明図である。図８は、図６とほぼ同じであるが、カソード側拡散層１４０Ｄは、気孔径が調整された被接触層１４２に代えて、多孔質部１６２Ｂの凸部１６２ａの頂面が接触する被接触面付近に、親水処理が施された親水処理層１４４を備えている。
【００７４】
親水処理層１４４は、カソード側拡散層に選択的に親水処理を施すことによって得られる。具体的には、親水処理層１４４は、カソード側拡散層の被接触面に、ナフィオン液とカーボンとを含む塗布剤を塗布することによって、得られる。
【００７５】
図８の構成を採用する場合にも、多孔質部１６２Ｂは、水分を効率よく取り込むことができる。すなわち、本実施例では、カソード側拡散層１４０Ｄは、親水処理層１４４を備えているため、親水処理層１４４からの水分の拡散が抑制される。このため、水分は、親水処理層１４４に保持され易くなり、多孔質部１６２は、親水処理層１４４を介して、カソード側拡散層１４０Ｄ内に存在する水分を効率よく取り込むことができる。
【００７６】
なお、本実施例では、親水処理は、多孔質部１６２Ｂの凸部１６２ａの頂面が接触する被接触面付近の領域（被接触領域）のみに施されているが、さらに、被接触領域の周辺の領域（周辺領域）に施されていてもよい。この場合には、被接触領域の親水性は、周辺領域の親水性よりも高く設定されていればよい。なお、親水性の程度は、例えば、塗布剤の塗布量を変更することによって、調整可能である。
【００７７】
また、本実施例では、周辺領域には、親水処理が施されていないが、該周辺領域には、撥水処理が施されていてもよい。こうすれば、水分が親水処理層１４４に、より保持され易くなるという利点がある。
【００７８】
Ｅ．第５実施例：
図９は、第５実施例におけるセル１１０Ｅの具体的な構造を示す説明図である。図９は、図８とほぼ同じであるが、カソード側拡散層１４０Ｅは、親水処理層１４４に代えて、多孔質部１６２Ｂの凸部１６２ａの頂面が接触する被接触面付近に、撥水処理が抑制された撥水処理抑制層１４６を備えている。また、カソード側拡散層１４０Ｅは、多孔質部１６２Ｂの凸部１６２ａの周囲の底面（すなわち凹部の底面）に対向する面付近に、換言すれば、撥水処理抑制層１４６の周辺の領域に、撥水処理が施された撥水処理層１４７を備えている。
【００７９】
撥水処理抑制層１４６と撥水処理層１４７とは、カソード側拡散層に選択的に撥水処理を施すことによって得られる。具体的には、撥水処理抑制層１４６と撥水処理層１４７とは、カソード側拡散層の被接触面をマスクした後に、カソード側拡散層に、ポリテトラフルオロエチレン（ＰＴＦＥ）とカーボンとを含む塗布剤を塗布することによって、得られる。
【００８０】
図９の構成を採用する場合にも、多孔質部１６２Ｂは、水分を効率よく取り込むことができる。すなわち、本実施例では、カソード側拡散層１４０Ｅは、撥水処理抑制層１４６と撥水処理層１４７とを備えているため、撥水処理抑制層１４６からの水分の拡散が抑制されると共に、撥水処理層１４７からの水分の拡散が促進される。このため、水分は、撥水処理抑制層１４６に保持され易くなり、多孔質部１６２は、撥水処理抑制層１４６を介して、カソード側拡散層１４０Ｅ内に存在する水分を効率よく取り込むことができる。
【００８１】
なお、本実施例では、撥水処理は、多孔質部１６２の凸部１６２ａの頂面が接触する被接触面付近の領域（被接触領域）には施されておらず、被接触領域の周辺の領域（周辺領域）のみに施されているが、撥水処理は、被接触領域と周辺領域との双方に施されていてもよい。この場合には、被接触領域の撥水性は、周辺領域の撥水性よりも低く設定されていればよい。なお、撥水性の程度は、例えば、塗布剤の塗布量を変更することによって、調整可能である。
【００８２】
また、本実施例では、撥水処理は、カソード側拡散層１４０Ｅの表面付近の領域に施されているが、さらに、カソード側拡散層の内部領域に施されていてもよい。
【００８３】
さらに、本実施例では、撥水処理抑制層１４６には、撥水処理が施されていないが、撥水処理抑制層には、親水処理が施されていてもよい。こうすれば、水分が、親水処理が施された撥水処理抑制層に、より保持され易くなるという利点がある。
【００８４】
なお、この発明は上記の実施例や実施形態に限られるものではなく、その要旨を逸脱しない範囲において種々の態様で実施することが可能であり、例えば次のような変形も可能である。
【００８５】
（１）第１ないし第３実施例では、気孔径に注目して説明したが、気孔径が調整される場合には、通常、気孔率も変化する。具体的には、多孔質部の接触層１６４，１６４Ｃの気孔径が、多孔質部内部の気孔径よりも大きい場合には、接触層の気孔率は、多孔質部内部の気孔率より大きくなる。また、カソード側拡散層の被接触層１４２，１４２Ｃの気孔径が、拡散層内部の気孔径よりも小さい場合には、被接触層の気孔率も、拡散層内部の気孔率より小さくなる。
【００８６】
（２）上記実施例では、各セパレータの成形材料は、カーボン粉末と樹脂バインダとを含んでいるが、他の成形材料を利用してもよい。例えば、成形材料は、金属材料（金属粉末）と樹脂バインダとを含んでいてもよい。また、各セパレータを構成する緻密質領域は、金属部材であってもよい。
【００８７】
（３）上記実施例では、多孔質部は、凸部が略矩形の断面形状を有する凹凸面を備えているが、これに代えて、凸部が波形（すなわち山形）の断面形状を有する凹凸面を備えていてもよい。一般には、多孔質部は、カソード拡散層に接触する接触面を有していればよい。
【００８８】
（４）上記実施例では、セルの種々の構成を説明したが、これらの構成のうちの２以上を任意に組み合わせたセルを利用することも可能である。
【００８９】
例えば、第１実施例と第４実施例とを組み合わせることによって、気孔径が調整された接触層を含む多孔質部と、被接触面付近に親水処理が施された親水処理層を含むカソード側拡散層と、を備えるセルを用いることができる。また、第２実施例と第４実施例とを組み合わせることによって、気孔径が調整されると共に親水処理が施された被接触層を含むカソード側拡散層を備えるセルを用いることができる。
【００９０】
（５）上記実施例では、カソード側セパレータが多孔質部を備えているが、これに代えて、あるいは、これと共に、アノード側セパレータが多孔質部を備えるようにしてもよい。この場合には、例えば、アノード側セパレータの多孔質部が、気孔径が調整された接触層を備えていればよい。また、アノード側拡散層が、気孔径が調整された被接触層や、親水処理層、撥水処理抑制層などを備えていればよい。
【図面の簡単な説明】
【００９１】
【図１】第１実施例における燃料電池システムの概略構成を示す説明図である。
【図２】燃料電池スタック１００内部のセルの構成を模式的に示す説明図である。
【図３】カソード側セパレータ１６０を模式的に示す説明図である。
【図４】セル１１０の断面を模式的に示す説明図である。
【図５】第１実施例におけるセル１１０の具体的な構造を示す説明図である。
【図６】第２実施例におけるセル１１０Ｂの具体的な構造を示す説明図である。
【図７】第３実施例におけるセル１１０Ｃの具体的な構造を示す説明図である。
【図８】第４実施例におけるセル１１０Ｄの具体的な構造を示す説明図である。
【図９】第５実施例におけるセル１１０Ｅの具体的な構造を示す説明図である。
【符号の説明】
【００９２】
１００…燃料電池スタック
１１０，Ｂ，Ｃ，Ｄ，Ｅ…セル
１２０…ＭＥＡ
１２２…電解質膜
１２４…電極層（アノード）
１２６…電極層（カソード）
１３０…アノード側拡散層
１４０，Ｂ，Ｃ，Ｄ，Ｅ…カソード側拡散層
１４２，１４２Ｃ…被接触層
１４４…親水処理層
１４６…撥水処理抑制層
１４７…撥水処理層
１５０…アノード側セパレータ
１６０，Ｂ，Ｃ…カソード側セパレータ
１６１…緻密質領域（緻密質部）
１６２，Ｂ，Ｃ…多孔質領域（多孔質部）
１６２ａ…凸部
１６４，Ｃ…接触層
２１０…内部燃料ガス通路
２１０ａ，２１０ｃ…セル間燃料ガス通路
２１０ｂ…セル内燃料ガス通路（アノード側通路）
２２０…内部酸化ガス通路
２２０ａ，２２０ｃ…セル間酸化ガス通路
２２０ｂ…セル内酸化ガス通路（カソード側通路）
２３０…内部冷却液通路
２３０ａ，２３０ｃ…セル間冷却液通路
２３０ｂ…セル内冷却液通路
２４０…内部冷却ガス通路
２４０ａ，２４０ｃ…セル間冷却ガス通路
２４０ｂ…セル内冷却ガス通路
３０２…水素タンク
３０４…減圧弁
３０６…流量制御弁
３１０…燃料ガス通路
３９０…燃料オフガス通路
３９２…遮断弁
４０２…空気ブロワ
４１０，４２０…外部空気通路
４９０…酸化オフガス通路
５０２…循環ポンプ
５０４…熱交換器
５１０…循環通路
６００…コントローラ
【図１】
2005294192.tif 000003
【図２】
2005294192.tif 000004
【図３】
2005294192.tif 000005
【図４】
2005294192.tif 000006
【図５】
2005294192.tif 000007
【図６】
2005294192.tif 000008
【図７】
2005294192.tif 000009
【図８】
2005294192.tif 000010
【図９】
2005294192.tif 000011